(57)【特許請求の範囲】
【請求項１】
検査視標を被検眼眼底に投影して被検者の視認応答により視野を計測する視野計において、被検眼眼底を撮影するための撮影光学系と、被検眼眼底像を表示する表示手段と、黄斑又は中心窩と視神経乳頭とを含んだ眼底における神経繊維束の走行が形成されたモデルデータを記憶する記憶手段と、該表示手段により表示された眼底像上の黄斑又は中心窩と，視神経乳頭の位置の決定を行う位置決定手段と、前記表示手段により表示された眼底像に表れている神経繊維束の走行の一部をトレースし，その走行状態を入力する走行状態入力手段と、前記位置決定手段により決定された前記黄斑又は中心窩と視神経乳頭との位置関係、及び前記入力手段によって入力された被検眼の神経繊維束の走行状態に基づいて前記記憶手段に記憶されたモデルデータの神経繊維束の走行形状を補正する補正手段と、該補正手段により補正されたモデルデータを前記眼底像に重畳して表示させる表示制御手段と、を有することを特徴とする視野計。
【請求項２】
請求項１の視野計において、前記補正手段は、前記記憶手段に記憶された眼底像モデルデータが持つ神経繊維束の走行曲線同士の相対的な位置関係を考慮して眼底像モデルデータが持つ神経繊維束の走行曲線の形状を補正することを特徴とする視野計。
【請求項３】
請求項１の視野計において、前記入力手段は、検者が視認できる被検眼の神経繊維束の走行の一部をトレースするために任意の複数の点の位置を指定する指定手段を有し、前記補正手段は、前記指定手段によって任意に指定された複数の点を滑らかに結ぶように前記モデルデータが持つ神経繊維束の走行曲線のうちの少なくとも一つの走行曲線の形状を補正する補正手段を有することを特徴とする視野計。
【請求項４】
請求項１〜３の視野計において、前記入力手段により被検眼の神経繊維束の走行状態の入力に用いられる眼底像は、被検眼の眼底上でレーザ光を走査させることにより被検眼の眼底像を撮影する走査型レーザ検眼鏡によって撮影された眼底像であることを特徴とする視野計。
【発明の詳細な説明】
【技術分野】
【０００１】
本発明は、視野計に関し、さらに詳しくは動的な視野計測を行うことができる視野計に関する。
【背景技術】
【０００２】
従来、被検眼の視野を計測する視野計が知られている。このような視野計は被検眼眼底の各計測点に検査視標を呈示し、その視認応答により被検眼の視野状態を計測する静的視野計や、一定輝度の検査視標を眼底上にて移動させていき、その視認応答により被検眼の視野状態を計測する動的視野計が知られている（特許文献１参照）。
また、被検眼の動的な視野計測を行うことができる視野計としては、神経繊維束の走行に沿って動的な視野計測をすることにより、計測時間を短縮させるとともに精度よく視野計測を行うことができる視野計が開示されている（特許文献２参照）。
【特許文献１】特開平６−５４８０４号公報
【特許文献２】特開２００５−１０２９４８号公報
【発明の開示】
【発明が解決しようとする課題】
【０００３】
このような視野計において、さらに、計測時間を短縮させるとともに精度よく視野計測を行う装置が望まれる。
【０００４】
本発明は、上記従来技術を鑑み、動的な視野計測を行う際に計測にかかる時間を軽減し、精度の高い結果を得ることができる視野計を提供することを技術課題とする。
【課題を解決するための手段】
【０００５】
上記課題を解決するために、本発明は以下のような構成を備えることを特徴とする。
【０００６】
（１）  検査視標を被検眼眼底に投影して被検者の視認応答により視野を計測する視野計において、被検眼眼底を撮影するための撮影光学系と、被検眼眼底像を表示する表示手段と、黄斑又は中心窩と視神経乳頭とを含んだ眼底における神経繊維束の走行が形成されたモデルデータを記憶する記憶手段と、該表示手段により表示された眼底像上の黄斑又は中心窩と，視神経乳頭の位置の決定を行う位置決定手段と、前記表示手段により表示された眼底像に表れている神経繊維束の走行の一部をトレースし，その走行状態を入力する走行状態入力手段と、前記位置決定手段により決定された前記黄斑又は中心窩と視神経乳頭との位置関係、及び前記入力手段によって入力された被検眼の神経繊維束の走行状態に基づいて前記記憶手段に記憶されたモデルデータの神経繊維束の走行形状を補正する補正手段と、該補正手段により補正されたモデルデータを前記眼底像に重畳して表示させる表示制御手段と、を有することを特徴とする。
（２）  （１）の視野計において、前記補正手段は、前記記憶手段に記憶された眼底像モデルデータが持つ神経繊維束の走行曲線同士の相対的な位置関係を考慮して眼底像モデルデータが持つ神経繊維束の走行曲線の形状を補正することを特徴とする。
（３）  （１）の視野計において、前記入力手段は、検者が視認できる被検眼の神経繊維束の走行の一部をトレースするために任意の複数の点の位置を指定する指定手段を有し、前記補正手段は、前記指定手段によって任意に指定された複数の点を滑らかに結ぶように前記モデルデータが持つ神経繊維束の走行曲線のうちの少なくとも一つの走行曲線の形状を補正する補正手段を有することを特徴とする。
（４）  （１）〜（３）の視野計において、前記入力手段により被検眼の神経繊維束の走行状態の入力に用いられる眼底像は、被検眼の眼底上でレーザ光を走査させることにより被検眼の眼底像を撮影する走査型レーザ検眼鏡によって撮影された眼底像であることを特徴とする。
【発明の効果】
【０００７】
本発明によれば、動的な視野計測を行う際に計測にかかる時間を軽減し、精度の高い結果を得ることができる。
【発明を実施するための最良の形態】
【０００８】
以下、本発明の実施形態について図面に基づいて説明する。図１は走査型レーザ検眼鏡の機能と視野計の機能が設けられた本実施形態の眼科装置の光学系の構成図、図２は制御系を示すブロック図である。
【０００９】
図１の光学系において、赤外光を用いて被検眼の眼底を照明し観察するための眼底ＳＬＯ画像を撮影するスキャニングレーザオフサルモスコープ（ＳＬＯ）光学系３００と、被検眼の視野を計測するために検査視標を被検眼眼底に投影する視標投影光学系２００と、に大別される。
【００１０】
まず、ＳＬＯ光学系３００について説明する。１はレーザ光を発する光源であり、本実施形態では赤外域のレーザ光を発する半導体レーザを用いている。２は中央に開口部を有する孔あきミラー、３は被検眼の屈折誤差に合わせて光軸方向に移動可能なリレーレンズである。４はガルバノ駆動機構５１の駆動により眼底上でＸＹ方向にレーザ光を高速で走査させることが可能な一対のガルバノミラーからなる走査部である。５はリレーレンズであり、４０は赤外光を反射し可視光を透過する特性を有するダイクロイックミラーであり、１０は対物レンズである。
【００１１】
光源１から出射した測定光は、孔あきミラー２の開口部を通り、リレーレンズ３を介して、走査部４のガルバノミラーに達し、一対のガルバノミラーの駆動により反射方向が変えられる。そして、ガルバノミラーで反射された測定光は、リレーレンズ５を介して、ダイクロイックミラー４０で反射された後、対物レンズ１０を介して、被検眼眼底に集光される。これらの光学部材によってＳＬＯ光学系３００の照射光学系を形成する。
【００１２】
１１は光軸上にピンホールを有したピンホール板であって、被検眼眼底の観察点と共役な位置に配置される。１２は集光レンズ、１３は受光部である。この場合、受光部１６は被検眼眼底の観察点と共役な位置に配置される。なお、本実施形態の受光部１６には、ＡＰＤ（アバランシェフォトダイオード）を用いている。
【００１３】
被検眼眼底に走査されたレーザ光の反射光は、前述した照射光学系を逆に辿り、穴開きミラー２にて反射される。なお、被検眼の瞳位置と穴開きミラー２の開口部とは、共役な関係となっている。穴開きミラー２にて反射した反射光は、ピンホール板１１のピンホールに焦点を結ぶ。ピンホールにて焦点を結んだ反射光は、レンズ１２を経て受光部１３に受光される。これらの光学部材により撮影光学系を形成する。
【００１４】
次に、視標投影光学系２００について説明する。視標投影光学系２００は、対物レンズ１０、レンズ２０、フォーカシングレンズ２１、レンズ２２、レンズ２３、縮小レンズ２４、視野計測用の視標を呈示するＬＣＤディスプレイ２５にて構成される。ＬＣＤディスプレイ２５に呈示された視標は、縮小レンズ２４、レンズ２３、レンズ２２〜２０、ダイクロイックミラー４０、対物レンズ１０を経て被検眼Ｅの眼底に投影される。なお、ＬＣＤディスプレイ２５の中心（光軸Ｌ２）には被検者の固視目標となる十字形状の固視視標が形成される。また、視野計測用の検査視標は、その呈示位置や輝度、大きさを変えることができるようになっている。
【００１５】
図２は本実施形態の眼科装置における制御系を示したブロック図である。３０は本実施形態の眼科装置のシステム全体を駆動制御するための制御部であり、光源１、受光部１３、駆動機構５１、ＬＣＤディスプレイ２５、画像処理部３２、モニタ３１、メモリ３４、応答ボタン３５、マウス３６が接続されている。応答ボタン３５は視野計測時に被検者が呈示視標を視認できたときに使用するものである。また、マウス３６はモニタ３１上にて検査視標の呈示位置を指定したり、動的な視野計測を行う際の検査視標の移動方向を指定するために用いられる。
【００１６】
また、制御部３０には撮影ボタン３７ａ、眼底撮影モードや視野計測モードの切換ボタン３７ｂ、ＬＣＤディスプレイ２５に呈示される視標の位置，輝度，大きさ等を設定するための各種設定ボタン群３７ｃ、眼底表示画面に神経線維束の走行を映し出す計測ボタン３７ｄ、後述する開始スイッチ３７ｅ、後述する指定完了ボタン３７ｆ等が備えられているコントロール部３７も接続されている。
【００１７】
画像処理部３２は、受光部１３にて得られる画像に対して画像処理を行い、二次元ＳＬＯ眼底画像を構築する。メモリ３４は受光部１３にて得られた眼底画像や視野計測において得られた被検者の応答情報を記憶する。また、メモリ３４は、黄斑又は中心窩と視神経乳頭とを含んだ眼底における視神経繊維束の走行状態を模式化した眼底像モデルデータ（以下、テンプレートとする）も記憶している。
【００１８】
図３はメモリ３４に記憶されている視神経繊維束の走行が形成されたテンプレートの一例を示した図である。このテンプレートは、一般的な健常者における視神経乳頭及び中心窩（黄斑）周辺の神経線維束の走行状態を模式化したデータであり、後述する動的な視野計測時に用いる。なお。実際の神経線維束は非常に多くの本数を有するが、眼底像モデルデータにて模式化される神経線維束は必ずしも全ての本数を表す必要はなく、後述する視野計測において被検眼Ｅに呈示する検査視標を神経線維束の走行に沿って移動させるための目安となる程度の本数が得られていればよい。なお、このような神経繊維束の走行状態を表すための走行曲線データは、曲線を表現するための所定の関数を用いて作成されており、各神経繊維毎に走行曲線の曲線形状を表現する数式データがメモリ３４に記憶されている。
【００１９】
以上のような構成を備える視野計において、その動作を説明する。ＳＬＯ光学系３００によって取得される眼底画像はモニタ３１に表示されるので、検者はモニタ３１に映る被検眼Ｅの眼底を観察する。次に、検者は、レンズ３を光軸方向に移動することによってモニタ３１に眼底像が明確に映るようにする。この場合、ＬＣＤディスプレイ２５の中心（光軸Ｌ２上）には固視標が形成されるので、被検者は固視を行うことができる。
【００２０】
検者はコントロール部３７の撮影ボタン３７ａを使用して被検眼Ｅの眼底を撮影する。撮影ボタン３７ａが押されると、制御部３０は、ＳＬＯ光学系３００にて取得される眼底像を静止画としてメモリ３４に記憶する。そして、制御部３０は、モニタ３１の表示を眼底像の静止画像に切換える。これにより、検者は、図示なきプリンタを用いてモニタ３１に表示された眼底像を出力することにより、被検眼Ｅの眼底状態を検査することができる。
【００２１】
次に、検者は、コントロール部３７の切換ボタン３７ｂを用いて視野計測モードに切り換え、ＳＬＯ光学系３００によって撮影されている眼底像を参考にしつつ、被検者の視野計測を動的に行う。視野計測モードの設定が行われると、制御部３０は、モニタ３１に表示される画像を動画画像に切換える。
【００２２】
図４は視野計測時におけるＳＬＯ光学系３００によってモニタ３１に表示される眼底像表示画面の様子を示した図である。検者はコントロール部３７の設定ボタン群３７ｃを用いて視野計測用の検査視標の大きさ（形状）や輝度Ａを設定した後、図４に示す眼底像表示画面に表示されているカーソル１００をマウス３６を用いて移動させ、被検眼Ｅの眼底に呈示する視野計測用の検査視標の呈示開始位置を指定する。ここではモニタ３１の眼底像表示画面に表示されている眼底像の周端を最初の検査視標呈示位置としている。
【００２３】
マウス操作によってモニタ３１上の眼底像の所望位置に対する検査視標の呈示指令がなされると、制御部３０はモニタ３１の眼底表示画面上に設定した呈示開始位置に対応するＬＣＤディスプレイ２５の表示画面の所定位置に検査視標を呈示するとともに、視標呈示位置からＬＣＤディスプレイ２５の中心に向かって所定速度（例えば５°/秒）にて検査視標を移動表示させていく。このようにＬＣＤディスプレイ２５にて検査視標を移動表示することにより、眼底の周辺部分から中心窩（黄斑）に向けて検査視標が移動するように被検眼Ｅに呈示されることとなる。
【００２４】
被検者は、検査視標が視認できた時点で応答ボタン３５を押し、検者及び装置側に検査視標の視認ができたことを伝える。応答ボタン３５が押されると、制御部３０はＬＣＤディスプレイ２５に呈示させた検査視標を消すとともに、図４に示すように応答ボタン３５が押された時点における眼底像表示画面の視標呈示位置（視認位置）に、視標マーク１０１ａを表示させる。また、形成した視標マーク１０１ａに対して、その移動方向を示した矢印１０２ａを眼底像表示画面上に表示させる。また、同じ輝度Ａにて各方向から中心窩に向かって同様の計測を行い、輝度Ａに対するイソプター（等感度線）を求める。なお、被検者が行った応答情報は、メモリ３４に逐次記憶される。
【００２５】
次に、輝度Ａよりも低い輝度Ｂをもつ検査視標を、輝度Ａに対して求めたイソプターの内側から中心窩に向かって移動させていき、前述同様に輝度Ｂに対するイソプターを求めていく。輝度Ｂをもつ検査視標の視認位置に対しては、図４に示すように視標マーク１０１ｂを画面上に表示させる。また、その移動方向を示した矢印１０２ｂも合わせて表示される。
【００２６】
このようにして、各輝度のレベルに応じたイソプターを形成した後、さらに眼底上の個々の部位における視野感度を動的に計測していく。一般的にイソプターは中心窩を中心として略同心円状に形成されるものであるが、緑内障等により視野変化がある場合、略同心円状のイソプターが得られない。また、緑内障における孤立暗点、弓状暗点、鼻側階段等の視野障害はいずれも神経繊維束の障害によるものとされており、その進行は神経線維束に走行に沿って広がっていく。このため、本実施形態では、眼底における大まかなイソプターを形成後、略同心円とならない変形した部分について神経線維束の走行に沿って動的な視野計測を行うことにより、さらに詳細なイソプターを形成するものとしている。
【００２７】
次に、モニタ３１に表示された被検眼Ｅの眼底像に表れている神経繊維束の走行の一部をトレースし，その走行状態を入力することにより、テンプレートの神経繊維束の走行形状を補正するステップについて説明する。ここで、検者より開始スイッチ３７ｅが押されると、制御部３０は、モニタ３１に表示された視標マーク１０１ａ及び１０１ｂと、矢印１０２ａ及び１０２ｂを一旦消去する（図５参照）。その後、モニタ３１の眼底表示画面に映し出されている視神経乳頭の位置と中心窩（黄斑）の位置をカーソル１００にて指定する。視神経乳頭の位置と中心窩の位置とがカーソル１００によって決定されると、制御部３０は、決定した２点の位置情報をメモリ３４に記憶する。次に制御部３０は、カーソル１００により指定した２点の位置情報により、２点間の距離を計測し、眼底像モデルデータにおける視神経乳頭と中心窩との距離が先に計測した２点間の距離に一致するようにメモリ３４に記憶されたテンプレートの模式図を拡大または縮小させる。
【００２８】
モニタ３１に表示された眼底画像において、検者は、被検眼Ｅの神経繊維束の走行の一部を視認することができる。例えば、３本の神経繊維（Ｓａ、Ｓｂ、Ｓｃ）の走行曲線を確認することができる。次に、検者は、モニタ３１上で視認できる神経繊維の走行曲線の位置情報を入力する。例えば、マウスを用いてカーソル１００を移動させていき、視認できる神経繊維の走行曲線Ｓａをなぞるように順番にクリックし、トレースしていく。この場合、制御部３０は、マウスをクリックした位置を指定点と見なし、その指定点を電気的にマーク表示していく（例えば、ａ1、ａ2、…ａn）とともに、指定点の座標位置を随時メモリ３４に記憶させていく。このような点の指定が、視認できる神経繊維の走行曲線Ｓａの始点〜通過点〜終点まで達したら、検者は指定完了ボタン３７ｆを押す。制御部３０は、指定完了ボタン３７ｆからの入力信号があると、指定された点列の座標位置に基づいて、指定された点列と直近の関係にあるテンプレート（メモリ３４に記憶された眼底モデルデータ）上の走行曲線Ｓ１を特定する（図３、及び図５の点線参照）。
【００２９】
制御部３０は、前述のように任意に指定した複数の点の全ての点を走行曲線Ｓ１が滑らかに通るように（結ぶように）、テンプレートが持つ走行曲線Ｓ１の曲線形状データに対して補正処理を行い、これをメモリ３４に記憶させる。また、予め視神経乳頭と中心窩の位置関係がメモリ３４に記憶されているため、これらを基準位置としてどの位置に曲線があるかを示す位置情報を持つデータとして補正処理後の走行曲線Ｓ１の曲線形状データが記憶される（図６参照）。これにより、走行曲線Ｓ１の曲線形状データは、被検眼Ｅの実際の走行曲線Ｓａに沿ったものに変えられる。なお、上記のような場合、例えば、コンピュータ上で曲線を表現する手法の一つであるスプライン関数を用いることができる。すなわち、特定された神経繊維の走行曲線が任意に指定した複数の点の全ての点を滑らかに通るように、スプライン関数を用いて神経繊維の走行曲線のデータを再構築すればよい。
【００３０】
次に、制御部３０は、補正処理した走行曲線Ｓ１と、もともとメモリ３４にテンプレートが持つ神経繊維束の走行曲線同士の相対的な位置関係を考慮してテンプレートが持つ他の神経繊維の走行曲線形状データに対して補正処理を行うステップに移行する。例えば、制御部３０は、まず、補正処理前と補正処理後における走行曲線Ｓ１の曲線形状データの位置ずれ情報を求める（図５参照）。この場合、補正処理前の走行曲線Ｓ１の曲線形状データにおける任意の複数の点が補正処理後にどのようにずれたかを各点ごとに求めるようなことが考えられる。
【００３１】
次に、制御部３０は、上記のように求められた補正処理前後の位置ずれ情報を基に、上に隣接する走行曲線Ｓ２の曲線形状データ（図３参照）に対して補正処理を行う。この場合、近い位置関係にある走行曲線同士はある程度予測可能な関連性を持っていることを利用して、走行曲線Ｓ１を補正した際の位置ずれ情報と、テンプレートのもともとの走行曲線Ｓ２の曲線形状を考慮して、走行曲線Ｓ２の曲線形状データに対して補正処理を行う（図６参照）。すなわち、近い神経繊維同士の走行曲線の曲線形状はある程度近似的な関係にあるため、前述のような点列の指定によってある神経繊維の走行曲線形状データが被検眼Ｅの実際の走行曲線形状に沿ったものとなれば、これと近い位置にある神経繊維の走行曲線データが近似的な関係となるように補正処理を行う。これにより、走行曲線Ｓ２においても、被検眼Ｅの実際の走行曲線に近い曲線形状データを作成することができる。また、制御部３０は、走行曲線Ｓ１と下方向に隣接する走行曲線Ｓ１１に対しても、同様に補正処理を行う。
【００３２】
その後、制御部３０は、前述のように補正処理が行われた走行曲線Ｓ２の曲線形状データを利用して、さらに、走行曲線Ｓ２の上方向に隣接する走行曲線Ｓ３の曲線形状データに対して同様に補正処理を行う。このようにして、上方向に隣接する走行曲線に対して順番に、同様の補正処理を行っていくようにしてもよい。また、走行曲線Ｓ１１の下方向に隣接する走行曲線に対しても同様に補正処理を行うようにしてもよい。
【００３３】
上記のようにして、検者は、モニタ３１上で視認できる他の神経繊維の走行曲線に対しても前述のように位置情報を入力し、制御部３０に上記のような補正処理を行わせることにより、位置情報が入力された神経繊維付近におけるテンプレート上の神経繊維の走行曲線データを被検眼Ｅの実際のものに近いものにするにすることができる。図６は、テンプレート全体の神経繊維の走行曲線データを被検眼Ｅに合わせて補正処理した後の図である。このようにすれば、テンプレート全体の神経繊維の走行曲線データを被検眼Ｅの実際の走行曲線に近づけることが可能となる。
【００３４】
次に、上記のように補正処理の行われたテンプレートを利用して、神経線維束の走行に沿って動的な視野計測を行うステップに移行する。検者によってコントロール部３７の計測ボタン３７ｄが押されると、メモリ３４に記憶された上記補正処理後のテンプレートを呼び出す。この場合、制御部３０は、上記のように拡大または縮小したテンプレートにおける視神経乳頭と中心窩とをモニタ３１に映っている眼底像の視神経乳頭と中心窩に一致させるようにして、模式図を眼底像に重畳して表示させる。この場合、制御部３０は、一旦消去した視標マーク１０１ａ及び１０１ｂと、矢印１０２ａ及び１０２ｂをモニタ３１に表示させる。
【００３５】
図７はモニタ３１に映し出された被検眼Ｅの眼底像に補正処理後の眼底像モデルデータを重畳させて表示した状態を示している。図示するように、眼底像に模式図が重畳して表示されているため、検者はモニタ３１を見るだけで被検眼Ｅの眼底における神経線維束の走行を容易に確認できることとなる。
【００３６】
本実施形態においてモニタ３１の眼底像表示画面に形成された眼底像上のイソプターは、図７に示すように視標マーク１０１ｂにおけるイソプターにおいて、紙面向かって右下の部分に変形が生じている。なお、図８は図７におけるイソプターの変形箇所を部分的に拡大表示した模式図である。
【００３７】
検者はカーソル１００を用いて検査視標の移動開始の始点Ｐを指定する。本実施形態では、視標マーク１０１ｂの外側では視認できているとされている輝度Ａを有した検査視標を用いて、図８に示す視標マーク１０１ｂにおけるイソプターの変形が生じている位置（例えば、視標マーク１０１ｂ1）の少し外側の位置を移動開始の始点Ｐとする。
【００３８】
始点Ｐが指定されると、制御部３０は視標マーク１０１ａのイソプター方向（図の矢印Ｙ1方向）へ始点Ｐを通る神経線維束Ｇの走行に沿うようにＬＣＤディスプレイ２５に検査視標を呈示し、所定の速度で移動させていく。
【００３９】
被検者は応答ボタン３５を押して神経線維束Ｇの走行に沿って移動する検査視標の視認の応答を行う。応答ボタン３５が押されると、制御部３０はモニタ３１の眼底像表示画面に視標マーク１０１ａを表示させる。次に検者は、検査視標が移動した神経線維束Ｇ上の任意の位置をカーソル１００を用いて指定する。制御部３０はカーソル１００にて指定された神経線維束上の任意の位置から神経線維束Ｇに対して直角方向（図中の矢印Ｙ2方向）に検査視標を移動させるようにする。被検者は前述同様に応答ボタン３５を用いて検査視標の視認の応答を行い、制御部３０はこの応答信号に基づいて視標マーク１０１ａを表示させる。
【００４０】
全ての計測が終了したら、検者はコントロールボタン３７の図示なき終了ボタンを押す。終了ボタンが押されると、制御部３０は眼底像モデルデータをモニタ３１から消去し、図９に示すように、より詳細な視野感度を表したイソプターを表示させる。
【００４１】
このように、本神経線維束の走行に沿って動的な視野計測を行う際に、計測される被検眼が持つ特有の神経繊維束の走行に応じた眼底像モデルデータを用いて視野位置を指定することができるので、計測時間を短くすることができるとともに、精度よく視野計測を行うことが可能となる。
【００４２】
なお、本実施形態においては、被検眼の眼底を撮影する撮影光学系としてＳＬＯ光学系を用いたため、取得される眼底画像の解像度やコントラストが優れているため、被検眼の神経繊維束の走行状態の把握がしやすい。よって、上記のような補正処理によって、より被検眼の神経繊維束の走行に近いテンプレートを作成することができる。また、被検眼の眼底を撮影するものとしては、眼底カメラを用いるようにしてもよい。
【００４３】
なお、被検眼の性別や年齢等に合わせて複数のテンプレートを用意しておき、計測の際に用いるテンプレートを選択するようにしてもよい。この場合、被検眼の神経繊維束の走行状態を入力する際に、被検眼の性別や年齢等の被検眼情報を入力することにより補正処理の対象となるテンプレートが選択されるようにしてもよい。これにより、より被検眼の神経繊維束の走行に近いテンプレートを作成することができる。
【００４４】
なお、以上の説明においては、ＬＣＤディスプレイ２５を持つ視標投影光学系２００により被検眼に対して視標を投影するような構成としたが、ＳＬＯ光学系３００に視標を投影する機能を持たせるようにしてもよい。この場合、例えば、ダイクロイックミラーを用いて、被検眼に視認可能な可視光源を、前述の赤外レーザ光源１から出射される赤外光束と該可視光源から出射される可視光束とが同軸となるように配置する。そして、走査部４によって眼底上を二次元的に走査するレーザ光が被検眼眼底上の所定の視標呈示部位を走査するタイミングに同期して制御部３０により可視光源を点灯させるようにすればよい。
【００４５】
なお、本実施形態の視野計においては、走査型レーザ検眼鏡の機能と視野計の機能が設けられた光学系としたが、視野計とは別に設置された走査型レーザ検眼鏡によって撮影された眼底画像データを用いるようにしてもよい。この場合、別の装置で撮影された眼底画像データを上記視野計のメモリ３４に記憶させ、この画像データをモニタ３１に表示させた際の眼底像から検者が視認できる被検眼の神経繊維束の走行状態を入力し、これに基づいて眼底像モデルデータが持つ神経繊維束の走行曲線の形状を補正するようなことが考えられる。
【図面の簡単な説明】
【００４６】
【図１】走査型レーザ検眼鏡の機能と視野計の機能が設けられた本実施形態の眼科装置の光学系の構成図である。
【図２】本実施形態の眼科装置の制御系を示すブロック図である。
【図３】メモリに記憶されている視神経繊維束の走行が形成されたテンプレートの一例を示した図である。
【図４】視野計測時におけるＳＬＯ光学系によってモニタに表示される眼底像表示画面の様子を示した図である。
【図５】モニタ上で視認できる神経繊維の走行曲線の走行状態の入力について説明する図である。
【図６】テンプレート全体の神経繊維の走行曲線データを被検眼に合わせて補正処理した後の図である。
【図７】モニタに映し出された被検眼の眼底像に補正処理後の眼底像モデルデータの模式図を重畳させて表示した状態を示している。
【図８】図７におけるイソプターの変形箇所を部分的に拡大表示した模式図である。
【図９】より詳細な視野感度を表したイソプターを表示させたものである。
【符号の説明】
【００４７】
３１  モニタ
３２  画像処理部
３４  メモリ
３５  応答ボタン
３６  マウス
１００  カーソル
１０１  視標マーク
１０２  矢印
２００  視標投影光学系
３００  ＳＬＯ光学系
【図１】
0004757030.tif 000002
【図２】
0004757030.tif 000003
【図３】
0004757030.tif 000004
【図４】
0004757030.tif 000005
【図５】
0004757030.tif 000006
【図６】
0004757030.tif 000007
【図７】
0004757030.tif 000008
【図８】
0004757030.tif 000009
【図９】
0004757030.tif 000010